(57)【要約】      （修正有）【課題】気密構成を具現するにおいてパッキング材を介在して固定される蓋部とボディー部間の気密を常に維持が可能な補強構成を提供することで、使用による手の損傷やゴム手袋の損傷がない密閉容器の締結構造を提供する。【解決手段】蓋部２０側の締結葉片３０には、１個以上の前記長さ方向の締結スリット３２の内部中央下方に連結された開放部である補強リブ収容部３２'を、半円形状などの所定形状で一体形成し、ボディー部１０には、締結葉片３０の締結スリット３２に対応する位置における側方向突出片である締結片４０の下方側に前記締結片４０の幅Ｂ方向に延びるように一体に突出成形されてなる厚肉部である補強リブ４１をさらに備えることとした。【選択図】図１
0003107141.tif 000002
【実用新案登録請求の範囲】
【請求項１】
射出形成などの方法で成形され、その開放上段周縁端部にリム部を一体に成形して有するボディー部１０、前記ボディー部１０に被せるように結合されて気密を維持する溝部を周縁部に有する蓋部２０、前記蓋部２０と一体に側方へ突出して形成され、前記周縁部に沿った長さ方向に穿孔された締結スリットを有する１個以上の折曲可能な締結葉片３０、前記締結葉片３０の締結スリットが挿入されて固定される前記ボディー部１０の側方に突出する１個以上の対応する締結片４０を備えた密閉容器において、
前記蓋部２０側の前記締結葉片３０には、１個以上の前記長さ方向の締結スリット３２の内部中央下方に連結された開放部である補強リブ収容部３２'を、半円形状などの所定形状で一体形成し、
前記ボディー部１０には、前記締結葉片３０の締結スリット３２に対応する位置における側方向突出片である前記締結片４０の下方側に前記締結片４０の幅Ｂ方向に延びるように一体に突出成形されてなる厚肉部である補強リブ４１をさらに備えることを特徴とする密閉容器の締結構造。
【請求項２】
請求項１において、前記補強リブ４１は締結片４０の幅方向に延びるように成形されて、その外方端部側である締結部の高さ寸法Ｄが内方側の高さ寸法ｄより大きく形成された締結掛り部４２を係止突起として備えることを特徴とする密閉容器の締結構造。
【請求項３】
請求項１において、前記締結葉片３０と締結片４０は、平面形状が半円形などの円弧状部分を有する形態または角が１個所または多段連続の丸み加工処理されて角をなくし、角部が形成されないように構成したことを特徴とする密閉容器の締結構造。
【考案の詳細な説明】
【技術分野】
【０００１】
本考案は密閉容器の締結構造に関し、さらに詳細には家庭用、産業用などで広く使用される気密容器である密閉容器の締結構成を改善したものに関する。
【背景技術】
【０００２】
食飲料を収容したり、食資材を保管したり、さらに気密及び水密を保ちながら冷蔵保管ができるようにして、食品などを長期間保管することができる構成の気密容器が、最近の外食産業の発達と食資材の多様化などの原因で広く使用されている。
【０００３】
即ち、家庭生活での食品インスタント化と大型割引店の登場で、長期保管用の食品の多量購入が多くなってから、一般的な密閉容器の必要性が増大し、そうした密閉容器の製品が広く供給されている。このような密閉容器は、大部分、透明又は半透明の合成樹脂の射出成形により、ボディー部と蓋部を分離構成することが多い。そしてボディー部の上段リム部と接触する蓋部に、概略Ｏリング形状の軟質パッキングを付与したり、リム部の断面形状と同一な挟み部を構成し、ここに蓋部とボディー部を締結可能な締結構成として、蓋部及びボディー部の一方に固定された締結片と、折曲可能な締結葉片を他方に形成して、締結葉片に締結片が挿入される構成を採用することができる。
【０００４】
従来、このような構成の蓋部とボディー部の締結構成は、初期には相当な締結力を持つことで、Ｏリングなどのパッキング材を介在した状態で気密が維持されるが、長期間の使用による材質の劣化によって、締結片が曲がったり締結片の変形が誘発されて締結力が低下される問題があって、気密容器としての機能が低下することがあった。
【０００５】
さらに、締結片と締結葉片の締結スリットに生ずる寸法誤差によって、締結が容易でないとか、締結スリットに余裕を与える場合、締結位置でも位置が合わなくて注意を傾けなければならない問題もあった。
【０００６】
また、ボディー部に、通常形成される側方に突出した一体形の突出片である締結片が四角形状として構成されている場合、主婦たちが皿洗いなどをする際に、この四角形状の締結片の角部分により手にけがをするとか、ゴム手袋などが破れることが多発して、常用していく上での障害となる問題点を持っていた。
【考案の開示】
【考案が解決しようとする課題】
【０００７】
本考案は、密閉容器の締結構造における上記する従来の構成の問題点を勘案して、気密構成を具現するにおいてパッキング材を介在して固定される蓋部とボディー部間の気密を常に維持が可能な補強構成を提供し、一層、改善された形状の締結片と締結葉片を提供することで、使用による手の損傷やゴム手袋の損傷がないように改善された構成と形態の密閉容器の締結構造を提供することを目的にする。
【課題を解決するための手段】
【０００８】
上述した目的を達成するために案出された本考案に係る密閉容器の締結構造は、射出成形などの方法で成形され、その開放上段周縁端部にリム部を一体に、成形したボディー部、上記ボディー部に被せるように結合されて気密を維持する溝部を周縁部に有する蓋部、上記蓋部と一体に側方に突出して形成され、前記周縁部に沿った長さ方向に穿孔された締結スリットを有する１個以上の折曲可能な締結葉片、前記締結葉片の締結スリットが挿入されて固定される、前記ボディー部の側方に突出する１個以上の対応する締結片を備えた密閉容器において、前記蓋部側の前記締結葉片には、１個所以上の前記長さ方向の締結スリットの内部中央下方に連結された開放部である補強リブ収容部を、半円形状などの所定形状で一体形成し、前記ボディー部側には、前記締結葉片の締結スリットに対応する位置における側方向突出片である前記締結片の下方側に、前記締結片の幅方向に延びるように一体に突出形成されてなる厚肉部である補強リブをさらに備えることが一番主な特徴である。
【０００９】
また、前記補強リブは締結片の幅方向に延びるように成形されて、その外方端部側である締結部の高さ寸法が内方側の高さ寸法より大きく形成された締結掛り部を係止突起として備えることが付加的で補完的な特徴である。
【００１０】
さらに、前記締結葉片と締結片は、平面形状が半円形などの円弧状部分を有する形態または角が１個所または多段連続の丸み加工処理（Ｒ加工）されて角をなくし、角部が形成されないように構成したことは、本考案のさらに付加的な特徴になる。
【考案の効果】
【００１１】
以上のような構成を持つ本考案の密閉容器の締結構造は、従来のパッキング材を備えた密閉容器の締結力の低下、多数の縁部の存在で手の損傷、締結の難しさを克服したもので、だれでも容易に締結使用ができ、寿命増大などの有用性を持つ。
【考案を実施するための最良の形態】
【００１２】
以下の付随された図面とともに本考案の密閉容器の締結構造をさらに詳細に説明する。図１は、本考案の密閉容器の締結構造が適用された密閉容器の一実施例の締結前斜視図、図２は一実施例の締結状態での斜視図、図３は本考案の密閉容器の一実施例のボディー部だけの側面断面図、図４は密閉容器の一実施例の締結効果と作用を説明するためにボディー部を下方側から見上げた部分斜視図、図５は締結前、後の締結部を拡大図示した断面図である。
【００１３】
図１に図示される本考案の例示的な密閉容器Ｃは、透明又は半透明の合成樹脂または半透明の合成樹脂の射出成形体として成形され、色々な形状体の収容空間部であるボディー部１０を備える。
【００１４】
本考案では長方形形状の密閉容器Ｃを例として有しているが、多様な形状の密閉容器にも等しく適用されることができることは勿論である。ボディー部１０は、上段に蓋部２０と結合するために開放端部側にリム部１１を持ち、リム部１１の下方側には、蓋部２０との結合の境目を付与するための突出ガイド部１２を一体で成形した通常的な構成を有する。
【００１５】
前記のボディー部１０のリム部１１を挟むように固定される蓋部２０の上側には、リム部１１の凸形状と概略一致する凹形状となるようにやはり一体で射出成形されてリム部１１の端部と触れあう部分を得るために、パッキング材２１を挟むパッキング溝２２が落ち込んだ溝形状で一体に成形されている。
【００１６】
前記する構成としてボディー部１０のリム部１１は、蓋部２０のパッキング溝２２の両側壁に挟まれてパッキング材２１に押圧されることで、気密が確保される構成となっている。このような密閉容器Ｃでの蓋部２０とボディー部１０の締結のために、本考案では締結葉片３０と締結片４０を備え、締結葉片３０は蓋部２０と一体に、締結片４０はボディー部１０と一体に成形されている。
【００１７】
締結葉片３０は図示するように、蓋部２０とともに射出成形されるが、その角境界線部で折曲げができるように折曲線３１が形成され、望ましくは４角形の辺に全て一体で成形されることが締結力の増大に有利である。また締結葉片３０の角は、丸み加工処理（Ｒ加工）して構成したり（図１）、全体形状を半円形及び部分円形体にする。締結葉片３０は４角形の辺部に沿って所定の長さを有する折曲片として、１個所以上の締結スリット３２を有している。
【００１８】
締結スリット３２はやはり図示するように、締結葉片３０の長さ方向に沿って形成されたスリットで、その中央下端部には補強リブ収容部３２'が半円形状で一体として成形、穿孔されている。ここに対応してボディー部１０には、側方へ突出するように一体で成形される締結片４０が、やはり１個所以上、前記締結葉片３０の締結スリット３２に対応する位置に突出片として存在する。締結片４０は図示するように概略半円形または角が丸み加工処理（Ｒ加工）された形状とする（図１）。ここに付け加えて、前記の締結片４０の下方側に突出して、締結片４０の幅Ｂ方向（図４）に沿って延びるように一体に成形される一種の厚肉部である補強リブ４１を有する。補強リブ４１は図４の下方からの部分斜視図に示されるように、締結片４０の幅Ｂ方向に沿って延びるように成形され、その端部は図３に示すように、締結部での高さ寸法Ｄが内方側での高さ寸法ｄより大きく形成された締結掛り部４２を形成する。他方、蓋部２０の締結葉片３０の締結スリット３２の対応する補強リブ収容部３２'の形状は外端側の締結掛り部４２とほとんど等しい寸法形状として緊密に嵌め合わせることが可能となっている。
【００１９】
以上のように構成された本考案の密閉容器の締結構造の作用効果を説明する。まず使用時に、図５のように、蓋部２０の締結葉片３０を下方へ折曲してボディー部１０の締結片４０側に向かうようにする。そして、締結葉片３０の締結スリット３２の補強リブ収容部３２'（図１）を中心ガイドにして、締結片４０の締結掛り部４２に押し入れると、補強リブ収容部３２'が締結進入時のガイドの役割をして、スムーズに締結が可能である。つまり締結掛り部４２を補強リブ収容部３２'が越えながら（この瞬間、気密パッキング材の弾性力が作用する）、補強リブ４１の小さな直径部（図４）に嵌って固定されるようになる。
【００２０】
したがって従来のように初期進入の難しさがなく、締結スリット３２の長さ方向に余裕が存在しても、締結力は保障されるのである。また補強リブ４１が補強リブ４１の幅Ｂ方向（図４）で一体に成形延長された厚肉部として形成された補強部なので、長期間の使用にも補強リブ４１が蓋部２０側へ撓む（しなう）ことが防止されるので、従来のように、この締結片４０の上方への撓みによる締結スリット内での上下隙間の発生による締結力の低下が防止される。これに付け加えて、蓋部２０の締結葉片３０とボディー部１０の締結片４０が半円形または丸み加工処理（Ｒ加工）された角部を持つことで、ひんぱんな皿洗い時に、角部による手の損傷が生じにくい効果を生じる。
【図面の簡単な説明】
【００２１】
【図１】本考案の密閉容器の締結構造が適用された密閉容器の一実施例の締結前斜視図。
【図２】本考案の密閉容器の締結構造が適用された密閉容器の一実施例の締結状態での斜視図。
【図３】本考案の密閉容器の締結構造が適用された密閉容器の一実施例のボディー部だけの側面断面図。
【図４】本考案の密閉容器の締結構造が適用された密閉容器の一実施例の締結効果と作用を説明するために密閉容器のボディー部を下方から眺めた部分斜視図。
【図５】締結前、後の締結部を拡大図示した断面図。
【符号の説明】
【００２２】
Ｃ  密閉容器
１０  ボディー部
２０  蓋部
３０  締結葉片
４０  締結片
【図１】
0003107141.tif 000003
【図２】
0003107141.tif 000004
【図３】
0003107141.tif 000005
【図４】
0003107141.tif 000006
【図５】
0003107141.tif 000007